(57)【要約】      （修正有）【課題】細径ケーブルが強風により脱落したり飛来物によって傷つけられたりすることがない細径ケーブル一束化用ガイドチューブおよび細径ケーブル入線方法を提供する。【解決手段】細径ケーブル一束化用ガイドチューブ６０は、１本の細径ケーブルを通線するための通線用チューブ６２と、通線用チューブ６２と一体に形成されたかつ複数本の細径ケーブルを収容するためのガイドチューブ６３とを具備する。ガイドチューブ６３は、ガイドチューブ６３の下半分の周面にのみ設けられたかつガイドチューブ６３に収容された細径ケーブルを取り出すことができる大きさの複数の窓穴６５を備える。通線用チューブ６２内の空間とガイドチューブ６３内の空間とは連通部６４を介して連通されている。【選択図】図７
2010176148.tif 000002
【特許請求の範囲】
【請求項１】
細径ケーブルを多条化するための細径ケーブル一束化用ガイドチューブ（６０）であって、
１本の細径ケーブルを通線するための通線用チューブ（６２）と、
該通線用チューブと一体に形成された、かつ、複数本の細径ケーブルを収容するためのガイドチューブ（６３）とを具備し、
前記ガイドチューブが、該ガイドチューブの前記通線用チューブと反対側の下半分の周面にのみ設けられた、かつ、該ガイドチューブに収容された細径ケーブルを取り出すことができる大きさの複数の窓穴（６５）を備え、
前記通線用チューブ内の空間と前記ガイドチューブ内の空間とが連通部（６４）を介して連通されており、
前記１本の細径ケーブルを前記通線用チューブ内に通線したのちに前記連通部を通して該通線用チューブから前記ガイドチューブ内の空間に落とすことにより、該１本の細径ケーブルを該ガイドチューブに収容することができるようにされている、
ことを特徴とする、細径ケーブル一束化用ガイドチューブ。
【請求項２】
前記通線用チューブの内径（ａ）が、円形状または円柱状のヘッドを有するかつ細径ケーブルを通線するための誘導具の該ヘッドの直径よりも大きく、
前記連通部の前記ガイドチューブの長手方向と垂直方向の両端間の長さである幅（ｂ）が、前記誘導具の前記ヘッドの直径よりも小さく、かつ、細径ケーブルの径（ｃ）よりも大きくされている、
ことを特徴とする、請求項１記載の細径ケーブル一束化用ガイドチューブ。
【請求項３】
前記窓穴の前記ガイドチューブの周方向に沿った長さである該窓穴の高さが、最大でも該ガイドチューブの内径の１／３であることを特徴とする、請求項１または２記載の細径ケーブル一束化用ガイドチューブ。
【請求項４】
メッセンジャーワイヤ通線用の孔を有する、かつ、前記ガイドチューブを支持するためのメッセンジャー（６１）をさらに具備することを特徴とする、請求項１乃至３いずれかに記載の細径ケーブル一束化用ガイドチューブ。
【請求項５】
請求項１乃至４いずれかに記載の細径ケーブル一束化用ガイドチューブ（６０）に細径ケーブルを入線する細径ケーブル入線方法であって、
前記細径ケーブル一束化用ガイドチューブの通線用チューブ（６２）内に１本の細径ケーブルを通線するステップと、
該通線された１本の細径ケーブルを前記細径ケーブル一束化用ガイドチューブの連通部（６４）を通して前記通線用チューブから該細径ケーブル一束化用ガイドチューブのガイドチューブ（６３）内の空間に落として、該１本の細径ケーブルを該ガイドチューブに収容するステップと、
を具備することを特徴とする、細径ケーブル入線方法。
【請求項６】
誘導具と通線具とを備える通線器具の該通線具の尾端に前記１本の細径ケーブルを接続するステップと、
前記通線器具を前記細径ケーブル一束化用ガイドチューブの通線用チューブの一端から該通線用チューブ内の空間に挿入して該通線用チューブの対向端に向けて送り込むステップと、
前記通線器具が前記通線用チューブの対向端に到達すると、該通線器具をたぐって該通線用チューブから引き出すステップと、
該引き出した通線器具の前記通線具の尾端から前記１本の細径ケーブルを外すことによって、該細径ケーブルを前記細径ケーブル一束化用ガイドチューブの連通部（６４）を通して前記通線用チューブから該細径ケーブル一束化用ガイドチューブのガイドチューブ（６３）内の空間に落とすステップと、
を具備することを特徴とする、請求項５記載の細径ケーブル入線方法。
【請求項７】
請求項１乃至４いずれかに記載の細径ケーブル一束化用ガイドチューブ（６０）に複数本の細径ケーブルを入線し、
該複数本の細径ケーブルが入線された細径ケーブル一束化用ガイドチューブを、電柱間に設置されたスパイラルハンガーに入線する、
ことを特徴とする、細径ケーブル入線方法。
【発明の詳細な説明】
【技術分野】
【０００１】
本発明は、細径ケーブル一束化用ガイドチューブおよび細径ケーブル入線方法に関し、特に、ＦＴＴＨ（Fiber To The Home）用の光ドロップケーブルなどの細径ケーブルを架空多条化するのに好適な細径ケーブル一束化用ガイドチューブおよび細径ケーブル入線方法に関する。
【背景技術】
【０００２】
近年、インターネットの普及に伴い、光ケーブル（光ファイバ）を用いて高速かつ大容量の信号を家庭やオフィスなどへ伝送することができるＦＴＴＨが注目されている。光ケーブルを家庭やオフィスなどの建物まで敷設する方法としては、従来のメタル電話線と同様に架空線路を利用して多芯光ケーブルを敷設する方法が主流である。架空線路から建物までは、光ケーブル用クロージャを介して１芯または２芯の光ドロップケーブルを接続することによって、多芯光ケーブルを分配している。
【０００３】
従来、光ケーブルを架空多条化する場合には、図８（ａ）に示すように、２本の電柱１１１1，１１１2間にメッセンジャーワイヤ１１２（支持線または吊線）を架設したのちに、メッセンジャーワイヤ１１２の両端を２つの自在バンド１１３1，１１３2でそれぞれ固定する。続いて、図８（ｂ）に示すように、メッセンジャーワイヤ１１２にスパイラルハンガー１１４を取り付けたのち、スパイラルハンガー１１４の両端を終端クランプでメッセンジャーワイヤ１１２に固定する。続いて、図８（ｃ）に示すように、スパイラルハンガー１１４内に光ケーブル１１５を入線する。
【０００４】
また、２本の電柱１１１1，１１１2間から光ドロップケーブル１１６を家庭に引込む場合には、図９に丸数字で手順を示すように、２本の電柱１１１1，１１１2間にメッセンジャーワイヤ１１２を架設したのちに、メッセンジャーワイヤ１１２の両端を２つの自在バンド１１３1，１１３2でそれぞれ固定する。続いて、メッセンジャーワイヤ１１２にスパイラルハンガー１１４を取り付けたのち、一方の電柱１１１2に取り付けられたドロップ用クロージャ１１７に一端が接続された光ドロップケーブル１１６をスパイラルハンガー１１４に入線する。続いて、光ドロップケーブル１１６をスパイラルハンガー１１４の途中から引き出したのち、光ドロップケーブル１１６を家庭に引込む。
【０００５】
このように、光ケーブル１１５を架空多条化したり光ドロップケーブル１１６を家庭に引込んだりするためにスパイラルハンガー１１４を設置するには、２本の電柱１１１1，１１１2間にメッセンジャーワイヤ１１２を張る工程とスパイラルハンガー１１４を取り付ける工程とが必要である。
【０００６】
そこで、下記の特許文献１には、スパイラルハンガーを設置する工程を削減してコストの低減を図るために、支持線と概略筒状のケーブル収納用空間を有する筒状ケーブル吊り具とが一体に構成されたケーブル一束化用吊線が開示されている。なお、このケーブル一束化用吊線では、支持線の下部には、このケーブル一束化用吊線が電柱間に架設されている状態で他のケーブルをケーブル収納用空間に引込むことができるように、断面円柱状の通線用先導具ガイドが付設されている。
【先行技術文献】
【特許文献】
【０００７】
【特許文献１】特開２００２−３２５３２０号公報
【発明の概要】
【発明が解決しようとする課題】
【０００８】
しかしながら、上記の特許文献１に開示されたケーブル一束化用吊線は、ケーブル収納用空間の斜め上部に開口部を形成したものであるため、強風時にケーブル一束化用吊線が捻転した場合には、ケーブル収納用空間に収容されたケーブルが脱落する可能性があるという問題がある。
【０００９】
また、特許文献１に開示されたケーブル一束化用吊線は、風圧荷重の低減、水・雪・ゴミなどの堆積防止のために筒状ケーブル吊り具が方形状空隙を格子状に配置した籠状をなしているため、ケーブル収納用空間に収容されたケーブルに飛来物が接触することを防ぐための保護機能が弱く、ケーブル本体の許容張力が大きい（たとえば、２０００Ｎ〜４０００Ｎ）光通信ケーブルを収容する場合には問題ないが、たとえば外径が３ｍｍ×６ｍｍでありケーブル本体の許容張力が光通信ケーブルよりも２桁小さい（たとえば、３６Ｎ）ＦＴＴＨ用の光ドロップケーブルなどの細径ケーブルを収容する場合には、細径ケーブルが飛来物によって傷つけられる可能性があるという問題がある。
細径ケーブルが飛来物によって傷つけられるという点では、スパイラルハンガーについても同様である。
【００１０】
本発明の目的は、細径ケーブルが強風により脱落したり飛来物によって傷つけられたりすることがない細径ケーブル一束化用ガイドチューブおよび細径ケーブル入線方法を提供することにある。
【課題を解決するための手段】
【００１１】
本発明の細径ケーブル一束化用ガイドチューブは、細径ケーブルを多条化するための細径ケーブル一束化用ガイドチューブ（６０）であって、１本の細径ケーブルを通線するための通線用チューブ（６２）と、該通線用チューブと一体に形成された、かつ、複数本の細径ケーブルを収容するためのガイドチューブ（６３）とを具備し、前記ガイドチューブが、該ガイドチューブの前記通線用チューブと反対側の下半分の周面にのみ設けられた、かつ、該ガイドチューブに収容された細径ケーブルを取り出すことができる大きさの複数の窓穴（６５）を備え、前記通線用チューブ内の空間と前記ガイドチューブ内の空間とが連通部（６４）を介して連通されており、前記１本の細径ケーブルを前記通線用チューブ内に通線したのちに前記連通部を通して該通線用チューブから前記ガイドチューブ内の空間に落とすことにより、該１本の細径ケーブルを該ガイドチューブに収容することができるようにされていることを特徴とする。
ここで、前記通線用チューブの内径（ａ）が、円形状または円柱状のヘッドを有するかつ細径ケーブルを通線するための誘導具の該ヘッドの直径よりも大きく、前記連通部の前記ガイドチューブの長手方向と垂直方向の両端間の長さである幅（ｂ）が、前記誘導具の前記ヘッドの直径よりも小さく、かつ、細径ケーブルの径（ｃ）よりも大きくされていてもよい。
前記窓穴の前記ガイドチューブの周方向に沿った長さである該窓穴の高さが、最大でも該ガイドチューブの内径の１／３であってもよい。
メッセンジャーワイヤ通線用の孔を有する、かつ、前記ガイドチューブを支持するためのメッセンジャー（６１）をさらに具備してもよい。
【００１２】
本発明の第１の細径ケーブル入線方法は、本発明の細径ケーブル一束化用ガイドチューブ（６０）に細径ケーブルを入線する細径ケーブル入線方法であって、前記細径ケーブル一束化用ガイドチューブの通線用チューブ（６２）内に１本の細径ケーブルを通線するステップと、該通線された１本の細径ケーブルを前記細径ケーブル一束化用ガイドチューブの連通部（６４）を通して前記通線用チューブから該細径ケーブル一束化用ガイドチューブのガイドチューブ（６３）内の空間に落として、該１本の細径ケーブルを該ガイドチューブに収容するステップとを具備することを特徴とする。
ここで、誘導具と通線具とを備える通線器具の該通線具の尾端に前記１本の細径ケーブルを接続するステップと、前記通線器具を前記細径ケーブル一束化用ガイドチューブの通線用チューブの一端から該通線用チューブ内の空間に挿入して該通線用チューブの対向端に向けて送り込むステップと、前記通線器具が前記通線用チューブの対向端に到達すると、該通線器具をたぐって該通線用チューブから引き出すステップと、該引き出した通線器具の前記通線具の尾端から前記１本の細径ケーブルを外すことによって、該細径ケーブルを前記細径ケーブル一束化用ガイドチューブの連通部（６４）を通して前記通線用チューブから該細径ケーブル一束化用ガイドチューブのガイドチューブ（６３）内の空間に落とすステップとを具備してもよい。
本発明の第２の細径ケーブル入線方法は、本発明の細径ケーブル一束化用ガイドチューブ（６０）に複数本の細径ケーブルを入線し、該複数本の細径ケーブルが入線された細径ケーブル一束化用ガイドチューブを、電柱間に設置されたスパイラルハンガーに入線することを特徴とする。
【発明の効果】
【００１３】
本発明の細径ケーブル一束化用ガイドチューブおよび細径ケーブル入線方法は、以下に示す効果を奏する。
（１）窓穴以外には周面に開口部を有しないパイプ状の中空ガイドチューブに細径ケーブルが収容されるため、強風時に細径ケーブル一束化用ガイドチューブが捻転しても、中空ガイドチューブに収容された細径ケーブルが脱落することを防止することができる。
（２）中空ガイドチューブに設けられた窓穴の高さを中空ガイドチューブの内径の１／３以下とすることにより、中空ガイドチューブに収容された細径ケーブルが飛来物によって傷つけられることを防止することができる。
（３）中空ガイドチューブの周面の底部に窓穴を設けることにより、中空ガイドチューブに水が溜まることを防止することができる。
【図面の簡単な説明】
【００１４】
【図１】本発明の第１の実施例による細径ケーブル一束化用ガイドチューブの構成を示す図である。
【図２】図１に示した中空ガイドチューブ１２を下から見た図である。
【図３】図１に示した細径ケーブル一束化用ガイドチューブ１０の製造について説明するための図である。
【図４】本発明の第２の実施例による細径ケーブル一束化用ガイドチューブの構成を説明するための図である。
【図５】本発明の第３の実施例による細径ケーブル一束化用ガイドチューブの構成を説明するための図である。
【図６】本発明の第４の実施例による細径ケーブル一束化用ガイドチューブの構成を説明するための図である。
【図７】本発明の第５の実施例による細径ケーブル一束化用ガイドチューブの構成を示す図である。
【図８】従来のスパイラルハンガーを用いた光ケーブルの架空多条化方法を説明するための図である。
【図９】従来の２本の電柱間から光ドロップケーブルを家庭に引込む手順を説明するための図である。
【発明を実施するための形態】
【００１５】
細径ケーブルが強風により脱落したり飛来物によって傷つけられたりすることがないようにするという目的を、複数本の細径ケーブルを収容するためのパイプ状の中空ガイドチューブの下半分の周面にのみ複数の窓穴を設けることにより実現した。
【実施例１】
【００１６】
以下、本発明の細径ケーブル一束化用ガイドチューブおよび細径ケーブル入線方法の実施例について、図面を参照して説明する。
まず、本発明の第１の実施例による細径ケーブル一束化用ガイドチューブについて、図１乃至図３を参照して説明する。
本実施例による細径ケーブル一束化用ガイドチューブ１０は、自己支持型のものであり、図１に示すように、メッセンジャーワイヤ通線用の孔を有するメッセンジャー１１と、メッセンジャー１１によって支持されたかつ複数の細径ケーブルを収容するためのパイプ状の中空ガイドチューブ１２とを具備する。
【００１７】
中空ガイドチューブ１２の内径は３〜５ｃｍであり、細径ケーブルを複数本（たとえば、１６本）収容することができる（細径ケーブル一束化機能）。また、中空ガイドチューブ１２の下半分の周面には、横幅が１０ｃｍでかつ高さが好ましくは細径ケーブルの径以上で中空ガイドチューブ１２の内径の１／３（この例では、１〜１．７ｃｍ）以下である複数の窓穴１３が、中空ガイドチューブ１２の長さ方向に対して所定の間隔（好ましくは、２０ｃｍ）で設けられている。
【００１８】
本実施例による細径ケーブル一束化用ガイドチューブ１０では、中空ガイドチューブ１２を下（底部）から見た図２に示すように、複数の窓穴１３は、中空ガイドチューブ１２の長さ方向に、中空ガイドチューブ１２の下半分の周面の左右に中空ガイドチューブ１２の周方向に対して互いに対向して１個ずつ設けられ、続いて、中空ガイドチューブ１２の底部に１個設けられ、再び中空ガイドチューブ１２の下半分の周面の左右に中空ガイドチューブ１２の周方向に対して互いに対向して１個ずつ設けられることが繰り返されることにより、中空ガイドチューブ１２の下半分の周面にのみ設けられている。
【００１９】
なお、本明細書では、中空ガイドチューブ１２の下半分の周面とは、中空ガイドチューブ１２が使用されている状態で下側（すなわち、メッセンジャー１１と反対側）となる周面をいう。
【００２０】
細径ケーブル一束化用ガイドチューブ１０は、図３に示すような一般に使用されている自己支持型の幹線ケーブル２０のメッセンジャーワイヤ２１およびケーブル２２を被覆するためのシース２３に複数の窓穴１３を形成することにより製造することができる。
ここで、シース２３の材料は、ビニルまたは耐熱ポリエチレンである。
【００２１】
本実施例による細径ケーブル一束化用ガイドチューブ１０では、ＦＴＴＨ用の光ドロップケーブルなどの細径ケーブルは、窓穴１３以外には周面に開口部を有しないパイプ状の中空ガイドチューブ１２に収容されるため、強風時に細径ケーブル一束化用ガイドチューブ１０が捻転しても、中空ガイドチューブ１２に収容された細径ケーブルが脱落することはない。
【００２２】
また、中空ガイドチューブ１２には複数の窓穴１３が設けられているため、風圧荷重の低減や水・雪・ゴミなどの堆積防止ができるとともに、窓穴１３の大きさを横幅１０ｃｍかつ高さ１〜１．７ｃｍと小さくすることにより、中空ガイドチューブ１２に収容された細径ケーブルが飛来物によって傷つけられることを防止することができる（細径ケーブルの保護機能）。
このように細径ケーブルの保護機能の向上を図ることができるため、図９に示したドロップ用クロージャ１１７の設置間隔（スパイラルハンガーの場合には、たとえば２５０ｍ間隔）を長くすることができる。
【００２３】
さらに、中空ガイドチューブ１２には複数の窓穴１３が設けられているため、中空ガイドチューブ１２に収容された細径ケーブルを中空ガイドチューブ１２の長さ方向の任意の位置から引き出すことができる（細径ケーブルの取出し機能）。したがって、たとえば図９に示したようなＦＴＴＨ用の光ドロップケーブル１１６を電柱間から家庭に引込む作業などを容易に行うことができる。
【００２４】
さらにまた、中空ガイドチューブ１２の周面の底部にも複数の窓穴１３を設けることにより、中空ガイドチューブ１２内に水が溜まるのを防止することができる（水抜き機能）。
【００２５】
次に、シャトルランナーのような誘導具と通線具とからなる通線器具を用いて既設の細径ケーブル一束化用ガイドチューブ１０に細径ケーブルを入線する作業手順について説明する。
通線具の尾端に細径ケーブルを接続したのち、通線器具を細径ケーブル一束化用ガイドチューブ１０の一端から挿入して細径ケーブル一束化用ガイドチューブ１０の対向端に向けて送り込む。通線器具が細径ケーブル一束化用ガイドチューブ１０の対向端に到達すると、通線器具をたぐって細径ケーブル一束化用ガイドチューブ１０から引き出す。これにより、通線具の尾端に接続された細径ケーブルが細径ケーブル一束化用ガイドチューブ１０から引き出される。
なお、この入線作業の際には、既存の潤滑剤を通線器具や細径ケーブルに塗りながら作業を進めることにより、引張荷重の低減および細径ケーブルの擦過による傷の軽減を図るようにする。
【００２６】
細径ケーブル一束化用ガイドチューブ１０を新規に架設する場合には、細径ケーブル一束化用ガイドチューブ１０を電柱間に添架したのちに上述した作業手順により細径ケーブルを細径ケーブル一束化用ガイドチューブ１０に入線してもよいが、効率的に工事を進めるために、地上で複数本の細径ケーブルが予め入線された細径ケーブル一束化用ガイドチューブ１０を電柱間に添架してもよい。
【実施例２】
【００２７】
次に、本発明の第２の実施例による細径ケーブル一束化用ガイドチューブについて、図４を参照して説明する。
本実施例による細径ケーブル一束化用ガイドチューブ３０は、中空ガイドチューブ３２を下（底部）から見た図４に示すように、複数の窓穴３３が、中空ガイドチューブ３２の長さ方向に、中空ガイドチューブ３２の下半分の周面の左に１個、右に１個および底部に１個の順で繰り返すように、中空ガイドチューブ３２の下半分の周面にのみ設けられている点で、上述した第１の実施例による細径ケーブル一束化用ガイドチューブ１０と異なる。
【００２８】
このように複数の窓穴３３が設けられた細径ケーブル一束化用ガイドチューブ３０を用いることにより、中空ガイドチューブ３２の径が小さくて、中空ガイドチューブ３２の下半分の周面の左右に中空ガイドチューブ３２の周方向に対して互いに対向するように１個ずつ窓穴３３を設けることが困難な場合にも、細径ケーブル一束化機能、細径ケーブルの保護機能、細径ケーブルの取出し機能および水抜き機能を有する細径ケーブル一束化用ガイドチューブを構成することができる。
【実施例３】
【００２９】
次に、本発明の第３の実施例による細径ケーブル一束化用ガイドチューブについて、図５を参照して説明する。
本実施例による細径ケーブル一束化用ガイドチューブ４０は、中空ガイドチューブ４２を下（底部）から見た図５に示すように、複数の窓穴４３が、中空ガイドチューブ４２の底部にのみ、中空ガイドチューブ４２の長さ方向に一列に設けられている点で、上述した第１および第２の実施例による細径ケーブル一束化用ガイドチューブ１０，３０と異なる。
【００３０】
このように複数の窓穴４３が設けられた細径ケーブル一束化用ガイドチューブ４０を用いることにより、中空ガイドチューブ４２の径がさらに小さくて、中空ガイドチューブ４２の下半分の周面の左右に窓穴４３を設けることが困難な場合にも、細径ケーブル一束化機能、細径ケーブルの保護機能、細径ケーブルの取出し機能および水抜き機能を有する細径ケーブル一束化用ガイドチューブを構成することができる。
【実施例４】
【００３１】
次に、本発明の第４の実施例による細径ケーブル一束化用ガイドチューブについて、図６を参照して説明する。
本実施例による細径ケーブル一束化用ガイドチューブ５０は、中空ガイドチューブ５２を下（底部）から見た図６に示すように、複数の窓穴５３が、中空ガイドチューブ５２の下半分の周面の左右にのみ、中空ガイドチューブ５２の周方向に対して互いに対向して、中空ガイドチューブ５２の長さ方向に一列にそれぞれ設けられている点で、上述した第１乃至第３の実施例による細径ケーブル一束化用ガイドチューブ１０，３０，４０と異なる。
【００３２】
このように複数の窓穴５３が設けられた細径ケーブル一束化用ガイドチューブ５０を用いることにより、水抜き性能は若干劣るが、細径ケーブル一束化機能、細径ケーブルの保護機能および細径ケーブルの取出し機能を有する細径ケーブル一束化用ガイドチューブを構成することができる。
【実施例５】
【００３３】
次に、本発明の第５の実施例による細径ケーブル一束化用ガイドチューブについて、図７を参照して説明する。
本実施例による細径ケーブル一束化用ガイドチューブ６０は、自己支持型のものであり、図７に示すように、メッセンジャーワイヤ通線用の孔を有するメッセンジャー６１と、メッセンジャー６１によって支持されたパイプ状の通線用チューブ６２と、通線用チューブ６２のメッセンジャー６１と反対側に一体に形成されたかつ複数本の細径ケーブルを収容するためのパイプ状の中空ガイドチューブ６３とを具備する。なお、通線用チューブ６２内の空間と中空ガイドチューブ６３内の空間とは連通部６４を介して連通されている。
【００３４】
ここで、通線用チューブ６２の内径ａは、円形状または円柱状のヘッドを有する誘導具のヘッドの直径よりも大きくされている。また、連通部６４の幅ｂは、誘導具のヘッドの直径よりも小さく、かつ、細径ケーブルの径ｃよりも大きくされている（すなわち、ｃ＜ｂ＜ヘッドの直径＜ａ）。
これにより、誘導具および通線具を備える通線器具に１本の細径ケーブルを接続して通線用チューブ６２内の空間に挿入しても、通線器具が連通部６４を通って中空ガイドチューブ６３内の空間に落ちることがなく、また、連通部６４を通して細径ケーブルを中空ガイドチューブ６３内の空間に落とすことができる。
そのため、通線器具を用いて細径ケーブルを通線用チューブ６２に通線したのちに細径ケーブルを通線器具から外すことにより、細径ケーブルを中空ガイドチューブ６３内の空間に収容することができる。
【００３５】
中空ガイドチューブ６３の内径は３〜５ｃｍであり、また、中空ガイドチューブ６３の下半分の周面には、横幅が１０ｃｍでかつ高さが好ましくは細径ケーブルの径以上で中空ガイドチューブ１２の内径の１／３（この例では、１〜１．７ｃｍ）以下である複数の窓穴６５が、中空ガイドチューブ６３の長さ方向に対して所定の間隔（好ましくは、２０ｃｍ）で設けられている。
【００３６】
複数の窓穴６５は、図２に示した第１の実施例よる細径ケーブル一束化用ガイドチューブ１０と同様に、中空ガイドチューブ６３の長さ方向に、中空ガイドチューブ６３の下半分の周面の左右に中空ガイドチューブ６３の周方向に対して互いに対向して１個ずつ設けられ、続いて、中空ガイドチューブ６３の底部に１個設けられ、再び中空ガイドチューブ６３の下半分の周面の左右に中空ガイドチューブ６３の周方向に対して互いに対向して１個ずつ設けられることが繰り返されることにより、中空ガイドチューブ６３の下半分の周面にのみ設けられている。
【００３７】
なお、複数の窓穴６５は、図４乃至図６に示した第２乃至第４の実施例による細径ケーブル一束化用ガイドチューブ３０，４０，５０と同様に設けてもよい。
【００３８】
本実施例による細径ケーブル一束化用ガイドチューブ６０は、上述した第１乃至第４の実施例による細径ケーブル一束化用ガイドチューブ１０，３０，４０，５０と同様に細径ケーブル一束化機能、任意位置からの細径ケーブルの取出し機能、細径ケーブルの保護機能および水抜き機能を有するので、同様の効果を奏する。
また、通線用チューブ６２を用いて細径ケーブルを通線するために中空ガイドチューブ６３に通線用のスペースを確保する必要はないので、上述した第１乃至第４の実施例による細径ケーブル一束化用ガイドチューブ１０，３０，４０，５０よりも中空ガイドチューブ６３に多くの細径ケーブルを収容することができる。
【００３９】
次に、シャトルランナーのような誘導具と通線具とを備える通線器具を用いて既設の細径ケーブル一束化用ガイドチューブ６０に細径ケーブルを入線する作業手順（本発明の一実施例による細径ケーブル入線方法）について説明する。
通線具の尾端に１本の細径ケーブルを接続したのち、通線器具を通線用チューブ６２の一端から通線用チューブ６２内の空間に挿入して通線用チューブ６２の対向端に向けて送り込む。通線器具が通線用チューブ６２の対向端に到達すると、通線器具をたぐって通線用チューブ６２から引き出す。これにより、通線具の尾端に接続された細径ケーブルが通線用チューブ６２から引き出される。通線器具の通線具の尾端から細径ケーブルを外すことによって、細径ケーブルは連通部６４を通って通線用チューブ６２から中空ガイドチューブ６３内の空間に落ちて収容される。
なお、この入線作業の際には、既存の潤滑剤を通線器具や細径ケーブルに塗りながら作業を進めることにより、引張荷重の低減および細径ケーブルの擦過による傷の軽減を図るようにする。
【００４０】
細径ケーブル一束化用ガイドチューブ６０を新規に架設する場合には、細径ケーブル一束化用ガイドチューブ６０を電柱間に添架したのちに上述した作業手順により細径ケーブルを中空ガイドチューブ６３内の空間に収容してもよいが、効率的に工事を進めるために、地上で複数本の細径ケーブルが中空ガイドチューブ６３内の空間に予め収容された細径ケーブル一束化用ガイドチューブ６０を電柱間に添架してもよい。
【００４１】
以上の説明では、自己支持型の細径ケーブル一束化用ガイドチューブ１０，３０，４０，５０，６０について説明したが、自己支持型にする必要がない場合には、メッセンジャー１１，６１は不要である。
また、細径ケーブル一束化用ガイドチューブ１０，３０，４０，５０，６０（メッセンジャー１１，６１はなくてもよい。）に地上で複数本の細径ケーブルを予め入線したものを電柱間に設置されたスパイラルハンガーに入線するようにしてもよい。これにより、複数本の細径ケーブルを既設のスパイラルハンガーに一度に入線することができるため、入線作業の効率化を図ることができる。
さらに、屋内においても細径ケーブル一束化用ガイドチューブ１０，３０，４０，５０，６０の細径ケーブル一束化機能、任意位置からの細径ケーブルの取出し機能および細径ケーブルの保護機能を生かして、壁面、床下（フリーフロア）、ＥＰＳなどでの細径ケーブルの収容に利用できるほか、適切な径を選択することにより種々の場所や装置内での利用も可能である。
【産業上の利用可能性】
【００４２】
以上説明したように、本発明の細径ケーブル一束化用ガイドチューブは、たとえばＦＴＴＨ用の光ドロップケーブルなどの細径ケーブルを架空多条化するのに利用することができる。
【符号の説明】
【００４３】
１０，３０，４０，５０，６０  細径ケーブル一束化用ガイドチューブ
１１，６１  メッセンジャー
１２，３２，４２，５２，６３  中空ガイドチューブ
１３，３３，４３，５３，６５  窓穴
２０  幹線ケーブル
２１  メッセンジャーワイヤ
２２  ケーブル
２３  シース
６２  通線用チューブ
６４  連通部
【図１】
2010176148.tif 000003
【図２】
2010176148.tif 000004
【図３】
2010176148.tif 000005
【図４】
2010176148.tif 000006
【図５】
2010176148.tif 000007
【図６】
2010176148.tif 000008
【図７】
2010176148.tif 000009
【図８】
2010176148.tif 000010
【図９】
2010176148.tif 000011